(57)【要約】      （修正有）【課題】ステージ部に置かれた着信バイブレータを有する形態端末の、バイブレータの振動に応じて表示をし、携帯端末が取り上げられると表示を停止する装置を提供する。【解決手段】着信表示装置１０は、バイブレータの振動を検出する振動検出手段１３と、ステージ部１１に携帯端末３０が置かれたか否かを検出する載置状態検出手段１５と、振動検出手段１３からの信号に基づき着信有無を定期的に判断し、着信有り時に着信表示部１９に点灯信号を出力し、載置状態検出手段１５からの信号に基づき着信表示部１９に消灯信号を出力する制御手段１７と、当該着信表示部１９と、を備える。【選択図】図１
2020161868.tif 000002
【特許請求の範囲】
【請求項１】
バイブレータを有する携帯端末が載置されるステージ部と、バイブレータの振動を検出する振動検出手段と、前記ステージ部に前記バイブレータを有する携帯端末が置かれたか否かを検出する載置状態検出手段と、前記振動検出手段からの信号に基づき着信有無を定期的に判断し、着信有り時に着信表示部に点灯信号を出力し、前記載置状態検出手段からの信号に基づき前記着信表示部に消灯信号を出力する制御手段と、当該着信表示部と、を備えることを特徴とする着信表示装置。
【請求項２】
バイブレータを有する携帯端末が載置されるステージ部と、バイブレータの振動を検出する振動検出手段と、前記振動検出手段からの信号に基づき着信有無を定期的に判断し、着信表示部に点灯信号又は消灯信号を出力する制御手段と、当該着信表示部と、を備えることを特徴とする着信表示装置。
【請求項３】
バイブレータを有する携帯端末が載置されるステージ部と、バイブレータの振動を検出する振動検出手段と、前記ステージ部に前記バイブレータを有する携帯端末が置かれたか否かを検出する載置状態検出手段と、前記振動検出手段からの信号に基づき着信有無を定期的に判断し、着信有り時に着信表示部に点灯信号を出力し、前記載置状態検出手段からの信号に基づき前記着信表示部に消灯信号を出力する第１の制御手段、及び、前記振動検出手段からの信号に基づき着信有無を定期的に判断し、前記着信表示部に点灯信号又は消灯信号を出力する第２の制御手段を有する制御手段と、前記第１の制御手段又は前記第２の制御手段を有効にする切替信号を前記制御手段に入力する切替手段と、当該着信表示部と、備えることを特徴とする着信表示装置。
【請求項４】
人が着信回数を認識できる着信回数認識部を備えることを特徴とする請求項１〜３のいずれか1項に記載の着信表示装置。
【請求項５】
前記振動検出手段は圧電センサを含み、前記載置状態検出手段は静電容量センサを含むことを特徴とする請求項１から４のいずれか１項に記載の着信表示装置。
【発明の詳細な説明】
【技術分野】
【０００１】
本発明は、バイブレータを有する携帯端末が載置されて使用され、着信時のバイブレータの振動を検出してランプ等を点灯させて、着信を人に伝える着信表示装置に関する。
【背景技術】
【０００２】
バイブレータを有する携帯端末では、バイブレータの振動を利用して人に着信を伝えることができる。また、場合によっては、携帯端末を体から離した状態においても、着信を知りたいことがある。そのため、例えば、商品名「セルフォンリンガＲＦ−２００」（（株）自立コム）と称される着信表示装置は、バイブレータの振動を検出し、これに応答してランプ等を表示させて、着信を人に伝えることができる。
【０００３】
図１３は、この従来の着信表示装置１００の斜視図であり、携帯端末であるスマートフォン１１０と共に示した斜視図である。この着信表示装置１００の場合、載置面の裏面に圧電センサ等（図示せず）が内蔵されている。載置面１０１にスマートフォン１１０が置かれる。着信時にスマートフォンの着信バイブレータが振動すると、この振動は圧電センサによって検出され、これに応答してランプ（図示せず）が点灯して、着信を人に伝える。点灯されたランプは、リセットスイッチ１０３を押すことにより、消灯する。
【先行技術文献】
【非特許文献】
【０００４】
【非特許文献１】Ｐ．５「携帯機器（ガラケー・スマホ・タブレット）が振動設定の場合」インターネット<URL:http://www.jiritsu.com/data/product_manuals/P194_RF200_manual1.pdf>
【発明の概要】
【発明が解決しようとする課題】
【０００５】
しかしながら、上記した従来の着信表示装置の場合、リセットスイッチ１０３を操作しないとランプを消灯できない。リセットスイッチを操作することが困難な場合等もあるため、ランプ表示の停止を自動的に行える着信表示装置が望まれる。
この出願はこのような点に鑑みなされたものであり、従って、この出願の目的は、バイブレータの振動に応答して着信表示する装置であって、着信表示の停止を自動的に行える着信表示装置を提供することにある。
【課題を解決するための手段】
【０００６】
この目的の達成を図るため、この出願の第１の発明の着信表示装置は、バイブレータを有する携帯端末が載置されるステージ部と、バイブレータの振動を検出する振動検出手段と、ステージ部にバイブレータを有する携帯端末が置かれたか否かを検出する載置状態検出手段と、振動検出手段からの信号に基づき着信有無を定期的に判断し、着信有り時に着信表示部に点灯信号を出力し、載置状態検出手段からの信号に基づき着信表示部に消灯信号を出力する制御手段と、当該着信表示部と、を備えることを特徴とする。
この第１の発明によれば、バイブレータを有する携帯端末がステージ部に置かれた状態で着信バイブレータが動作すると、着信表示部は点灯（点滅でも良い）する。また、ステージ部から人がバイブレータを有する携帯端末を取り上げると、着信表示装置が消灯する。すなわち、人がバイブレータを有する携帯端末を取り上げることによって、着信表示を自動的に終了させることができる。
【０００７】
また、この出願の第２の発明の着信表示装置は、バイブレータを有する携帯端末が載置されるステージ部と、バイブレータの振動を検出する振動検出手段と、振動検出手段からの信号に基づき着信有無を定期的に判断し、着信表示部に点灯信号又は消灯信号を出力する制御手段と、当該着信表示部と、を備えることを特徴とする。
この第２の発明によれば、バイブレータを有する携帯端末がステージ部に置かれた状態で着信バイブレータが動作すると、着信表示部は点灯（点滅でも良い）する。また、着信バイブレータが停止すると、着信表示部は消灯する。すなわち、着信バイブレータのオン・オフに連動して信表示部が点灯・消灯する着信表示装置が得られる。バイブレータを有する携帯端末の着信監視においては、着信バイブレータが動作している間のみ着信表示部が点灯されれば良いことがあるので、そのような要望に対し、この第２の発明は有用である。
【０００８】
また、この出願の第３の発明の着信表示装置は、バイブレータを有する携帯端末が載置されるステージ部と、バイブレータの振動を検出する振動検出手段と、ステージ部にバイブレータを有する携帯端末が置かれたか否かを検出する載置状態検出手段と、振動検出手段からの信号に基づき着信有無を定期的に判断し、着信有り時に着信表示部に点灯信号を出力し、載置状態検出手段からの信号に基づき着信表示部に消灯信号を出力する第１の制御手段、及び、振動検出手段からの信号に基づき着信有無を定期的に判断し、着信表示部に点灯信号又は消灯信号を出力する第２の制御手段を有する制御手段と、第１の制御手段又は第２の制御手段を有効にする切替信号を制御手段に入力する切替手段と、当該着信表示部と、を備えることを特徴とする。
この第３の発明によれば、第１の発明と第２の発明とを選択的に利用することができ、着信表示装置を使用する者の利便性がより高まる。
【０００９】
また、この出願の第４の発明の着信表示装置は、上記の第１〜第３の発明の着信表示装置に対し、人、例えばバイブレータを有する携帯端末の所有者が着信回数を認識できる着信回数認識部を設けることを特徴とする。
このように構成することにより、第２の発明の場合等で、着信バイブレータが停止し、着信表示部が消灯してしまっても、バイブレータを有する携帯端末の所有者が着信に気づかないといった事態を防ぐことができる。
【００１０】
また、この出願の第１〜第４の着信表示装置において、振動検出手段は圧電センサを含み、載置状態検出手段は静電容量センサを含むことが好ましい。
このように構成することにより、装置の薄型化ができるとともに、検出手段と検出対象との間を貫通穴や透明体とする必要ないため、安価に製造できる。
【発明の効果】
【００１１】
この出願の第１〜第４の発明によれば、バイブレータを有する携帯端末の着信バイブレータの振動を視覚に変えて人に伝達できる着信表示装置であって、着信表示の停止を自動的に行える着信表示装置を提供できる。
【図面の簡単な説明】
【００１２】
【図１】図１(ａ)、図１（ｂ）は、第１の発明の実施形態の説明図である。
【図２】図２（ａ）は、振動検出手段に備わる圧電センサの説明図、図２（ｂ）は載置状態検出手段に備わる静電容量センサの説明図、図２（ｃ）は各センサの実装状態を説明する図である。
【図３】図３は、振動検出手段に備わる検出回路の一例を示す図である。
【図４】図４は、載置状態検出手段、制御手段、着信表示部等の回路例を示す図である。
【図５】図５は、第１の発明の制御手段１７を説明するフローチャートである。
【図６】図６(ａ)、図６（ｂ）は、第２の発明の実施形態の説明図である。
【図７】図７は、第２の発明の制御手段１７ｘを説明するフローチャートである。
【図８】図８(ａ)、図８（ｂ）は、第３の発明の実施形態の説明図である。
【図９】図９は、第３の発明の制御手段１７ｙを説明するフローチャートである。
【図１０】図１０は、第１〜第３の発明の好適例（第４の発明。着信回数認識部を設ける例）の説明図である。
【図１１】図１１は、第４の発明の制御手段１７ｚを説明するフローチャートである。
【図１２】図１２は、載置状態検出手段の他の構成例を説明する図である。
【図１３】図１３は、従来の着信表示装置の説明図である。
【発明を実施するための形態】
【００１３】
以下、図面を参照してこの出願の各発明の実施形態について説明する。なお、説明に用いる各図はこれら発明を理解できる程度に概略的に示してあるにすぎない。また、説明に用いる各図において、同様な構成成分については同一の符号を付して示し、その説明を省略する場合もある。
また、以下の説明中で述べる各種センサ、電気回路等の構成は、これら発明の範囲内の好適例にすぎない。従って、本発明は以下の実施形態のみに限定されるものではない。
【００１４】
１．第１の発明の実施形態
図１（ａ）は、第１の発明の実施形態の着信表示装置１０の構成を示すブロック、図１（ｂ）は製品形状の一例を示す斜視図である。また、図２（ａ）は、圧電センサ１３ａの構成例の説明図、図２（ｂ）は静電容量センサ１５ａの構成例の説明図、図２（ｃ）は、これらセンサの実装例を説明する図である。なお、図１（ｂ）では、発明の理解を容易にするため、バイブレータを有する携帯端末３０（以降、携帯端末３０と称する場合がある）としての、スマートフォン３０ａも併せて示してある。
【００１５】
この着信表示装置１０は、図１（ａ）に示すように、ステージ部１１と、振動検出手段１３と、載置状態検出手段１５と、制御手段１７と、着信表示部１９と、補助的な外部出力部２１と、を備える。
この着信表示装置１０の全体構造としては、図１（ｂ）に示すように、スマートフォン３０ａを載置できる適度な大きさを有し、平面視で略視四角形状で、角部が丸みを持つ構造としてある。また、スマートフォン３０ａを置きやすく、かつ、取り上げ易くするため、ステージ部１１の縁領域がステージ部の外側に向かってやや下がっている傾斜面としてあり、それ以外の中央領域は平坦な面としてある。着信表示装置１０の構成材料は、任意好適な材料で良く、例えば樹脂が良い。このような平置き型のものは、他のものに比べ、後述の静電容量センサによる検出が行い易いという利点がある。ただし、着信表示装置の構造は、平置き型に限られず、他の構造でも良い。例えば、図１３に示したように、携帯端末を斜めに立てかけるような構造のもの等でも良い。
【００１６】
ステージ部１１は、携帯端末３０を載置するためのステージである。ステージ部１１の厚さや材質は、振動検出手段１３に備わる圧電センサ１３ａや載置状態検出手段１５に備わる静電容量センサ１５ａの性能を悪化させることのない厚さ及び材質が良い。例えば、厚さが数ｍｍである樹脂で構成するのが良い。
なお、圧電センサ１３ａ、静電容量センサ１５ａは、詳細は後述するが、ステージ部１１の裏面に、固定してある。
【００１７】
振動検出手段１３は、携帯端末３０の当該バイブレータが振動したか否かを検出するものである。この振動検出手段１３は、バイブレータの振動に応じて変形して圧電効果を生ずる圧電センサ１３ａと、圧電効果で生じる信号を検出する電気回路１３ｂと、を含むものである。
【００１８】
圧電センサ１３ａは、例えば、図２（ａ）に示すように、任意好適な平面形状、この例では円形状の金属板１３ａａと、この金属板１３ａａに積層した圧電性セラミックから成る圧電材料片１３ａｂと、この圧電材料片１３ａｂの金属板１３ａａとは反対面に設けた電極１３ａｃと、で構成してある。金属板１３ａａ及び電極１３ａｃから、各々リード線１３ａｄが引き出されていて、これらリード線の二次側は、電気回路１３ｂの所定の端子と接続してある。
この圧電センサ１３ａは、例えば金属板１３ａａ側をステージ部１１の裏面に、バイブレータの振動が伝達され易い固定部材、例えば、厚みが薄い両面テープ又は好適な接着剤によって、固定してある。
なお、上記においては、圧電センサ１３ａとして、いわゆるユニモルフ型のセンサを示したが、圧電センサをとして、いわゆるバイモルフ型のものを用いても良い。
【００１９】
また、振動検出用の電気回路１３ｂは、これに限られないが、例えば図３（ａ）に示すように、バイアス回路１３ｂａと、バンドパスフィルタ１３ｂｂと、コンパレータ１３ｂｃとで、構成することができる。バイアス回路１３ｂａは、圧電センサ１３ａが検出する信号の動作点を適正にする。バンドパスフィルタ１３ｂｂは、圧電センサ１３ａで生じた携帯端末３０のバイブレータの振動に起因する信号を効率良く選択する。コンパレータ１３ｂｃは、圧電センサ１３ａで生じた携帯端末３０のバイブレータの振動に起因する信号を、電源電圧ＶｃｃとＧＮＤとの間でスイングするパルス状の信号Ｄｏｕｔに変換して後段の回路に出力する。
【００２０】
なお、振動検出用の電気回路１３ｂは、図３（ｂ）に示すように、図３（ａ）の構成に加えて、保護回路１３ｂｄ及び又は増幅回路１３ｂｅを、含んでも良い。保護回路１３ｂｄは、例えば、着信表示装置１０を落下させた等によって、圧電センサ１３ａに過大な振動が及んで、圧電センサ１３ａで尖頭的な電圧が生じた場合にそれをクリップして、後段の回路を保護する。増幅回路１３ｂｅは、圧電センサ１３ａの出力信号が微弱である場合等に、設けるのが良い。
【００２１】
載置状態検出手段１５は、ステージ部１１に、携帯端末３０が載置されたか、また、ステージ部１１から携帯端末３０が取り上げられたかを検出するものである。この載置状態検出手段１５は、この場合、静電容量センサ１５ａと、静電容量の変化を検出するための電気回路１５ｂと、を含むものである。
【００２２】
静電容量センサ１５ａは、この実施形態では、図２（ｂ）に示すように、例えば平面形状が円形の金属板１５ａａで構成してある。この金属板１５ａａを、ステージ部１１の裏面に、例えば、両面テープや好適な接着剤によって固定してある。金属板１５ａａにはリード線が接続されていて、このリード線の二次側は電気回路１５ｂの所定端子に接続してある。
この金属板１５ａａは、ステージ部１１が接することによって、コンデンサを構成する。しかも、ステージ部１１に携帯端末３０が置かれたときと、置かれないときとで、コンデンサの容量が変化する。この容量変化を電気回路１５ｂは検出する。
【００２３】
電気回路１５ｂは、静電容量検出用の電子部品で構成できる。静電容量検出用の電子部品としては、例えば、いわゆる電荷移送法と呼ばれる容量検出法を採用する電子部品を用いることができる。具体的には、静電容量センサ１５ａに、電圧パルスを周期的に印加し、携帯端末３０が置かれる前の状態と、置かれた状態と、取り上げられた状態とで、パルス応答の時定数が変わることを利用して、携帯端末３０が置かれているか、取り上げられたかを検出するものである。このような電子部品の一例として、例えば、ＴｏｎＴｏｕｃｈ社製のＴＴＰ２２３−ＢＡ６と称される電子部品を挙げることができる。
この電子部品は、静電容量センサ１５ａに物体がタッチされている間、すなわち、ステージ部１１に携帯端末３０が置かれている間、出力信号ＳＥＮＳとして「Ｈｉｇｈ」を出力し、携帯電話がステージ部１１から取り上げられると、出力信号ＳＥＮＳとして「Ｌｏｗ」を出力する。このようにして、携帯電話の載置様態を示すことができる。
【００２４】
制御手段１７は、着信表示部１９の点灯／消灯等を制御するものである。この制御手段１７は、ＰＩＣ（ピック：Ｐｅｒｉｐｈｅｒａｉ−Ｉｎｔｅｒｆａｃｅ−Ｃｏｎｔｒｏｌｌｅｒ）やＡＶＲ等の任意好適なマイクロコンピュータで構成できる。これらマイクロコンピュータが内蔵するＣＰＵ、プログラムメモリ、データメモリ、入出力制御、及びタイマ等を利用することで、制御手段１７を実現できる。この制御手段１７の動作については、後述する。
【００２５】
着信表示部１９は、制御手段１７の制御信号に応じて、所定の通りに、点灯（点滅も含む）又は消灯されるもので、この例の場合は複数個のＬＥＤで構成してある。これに限られないが、この例では、着信表示装置１０自体が４つの側面を持つ構造のため、着信表示部１９を４個のＬＥＤで構成し（図４の回路図中のＬＥＤ３〜ＬＥＤ６参照）、４つの側面に１個ずつＬＥＤを配置してある。なお、着信表示部１９の動作についても、制御手段１７の動作と併せて、後述する。
【００２６】
補助的な外部出力部２１は、着信表示部１９とは別の方法で着信を人に知らせる等のために利用できるポートである。例えば着信表示装置１０を設置してある部屋とは別の部屋に、着信を伝達したい場合等に、この外部出力部２１から配線を引き出してその配線の二次側に何らかの通報手段を接続する等で使用できるものである。また、別の例としては、この外部出力部２１の二次側に赤外線やＢｌｕｅｔｏｏｔｈ（登録商標）を代表とする無線送信機を取り付け、ステージ部の内側に収めてしまうことで内蔵型とすることもできる。この補助的な外部出力部２１は、図４に示したように、制御手段１７から出力される信号ＲＹＯＵＴによって制御される。
なお、図４の回路中の回路ブロック２３は、静電容量センサの状態をモニタするために設けた補助的表示部であり、発明の本質ではないが、利便性を高めるために設けてある。
【００２７】
次に、制御手段１７及び着信表示部１９の動作について、図４に示した回路図と、図５に示したフローチャートを参照して説明する。
着信表示装置１０が動作を開始すると（図５のステップＳ１）、制御手段１７は、載置状態検出手段１５の出力信号ＳＥＮＳを取り込む（ステップＳ２）。載置状態検出手段１５の電気回路１５ｂは、上記したように、出力信号ＳＥＮＳとして「Ｈｉｇｈ」又は「Ｌｏｗ」を出力するので、制御手段１７は、ステージ部１１に携帯端末３０が置かれたか否かを判定できる（ステップＳ３）。
【００２８】
また、制御手段１７は、振動検出手段１３の電気回路１３ｂからの信号Ｄｏｕｔを取り込んでいて、これに基づき、着信バイブレータが動作しているか否か（すなわちバイブレータパターンか？）を判断する（ステップＳ５）。この実施形態の場合は、制御手段１７は、Ｄｏｕｔのパルス信号を所定のゲート時間でカウントし、カウントした値が所定範囲の場合は、着信バイブレータが動作していると判断する。すなわち着信を伝えていると判断する（ステップＳ５）。制御手段１７は、着信バイブレータが動作していると判断すると、信号ＬＥＤＯを有効にする。この結果、着信表示部１９のＬＥＤ３は点灯する（ステップＳ６）。なお、この点灯は、点滅動作でも良い。また、このとき、補助的な外部出力部２１に対する信号ＲＹＯＵＴも有効になる（ステップＳ７）。
【００２９】
また、制御手段１７は、載置状態検出手段１５の出力信号ＳＥＮＳを定期的に監視していて、携帯端末３０がステージ部１１に載置されているかを監視している（ステップＳ８）。そして、携帯端末３０がステージ部１１から取り上げられると、すなわち出力信号ＳＥＮＳが「Ｌｏｗ」になると、着信表示部１９に消灯指示をする（ステップＳ９）。また、その際、ＲＹＯＵＴ信号を無効にする。
この第１の発明の着信表示装置１０によれば、着信バイブレータが動作すると、着信表示部１９が自動的に点灯し、携帯端末３０がステージ部１１から取り上げられるまで、点灯を継続し、携帯端末３０がステージ部１１から取り上げられると、着信表示部１９は自動的に消灯する。
【００３０】
２．第２の発明の実施形態
次に、第２の発明の実施形態について、図６及び図７を参照して説明する。図６（ａ）は、第２の発明の実施形態の着信表示装置１０ｘの構成を示すブロック、図６（ｂ）は製品形状の一例を示す斜視図である。図７は、第２の発明の着信表示装置１０ｘの制御手段１７ｘの動作を示すフローチャートである。
【００３１】
第１の発明では、載置状態検出手段１５を用いて、携帯端末３０がステージ部１１から取り上げられたことを検出して、これに応じて、着信表示部１９を消灯させていた。これに対し、第２の発明では、載置状態検出手段１５は設けずに（図６（ａ））、振動検出手段１３の信号に基づいて、以下に説明するように、着信表示部１９の点灯／消灯を制御する。
【００３２】
第２の発明の着信表示装置１０ｘが動作を開始すると（図７のステップＳ１１）、制御手段１７ｘは、振動検出手段１３の電気回路１３ｂからの信号Ｄｏｕｔを取り込む（ステップＳ１２）。そして、これに基づき、着信バイブレータが動作しているか否か（バイブレータパターンか？）を判断する（ステップＳ１３）。この実施形態の場合は、制御手段１７ｘは、Ｄｏｕｔのパルス信号を所定のゲート時間でカウントし、カウントした値が所定範囲の場合は、着信バイブレータが動作している、すなわち着信を伝えていると判断する（ステップＳ１３）。制御手段１７ｘは、着信バイブレータが動作していると判断した場合、信号ＬＥＤＯを有効にする。この結果、着信表示部１９の各ＬＥＤ３〜ＬＥＤ６（図４参照）は点灯（点滅でも良い）する（ステップＳ１４）。このとき、補助的な外部出力部２１に対する信号ＲＹＯＵＴも有効になる（ステップＳ１５）。
【００３３】
また、制御手段１７ｘは、振動検出手段１３の信号Ｄｏｕｔを定期的に取り込み、かつ、着信バイブレータが振動しているか否かを定期的に監視していて（ステップＳ１７）、着信バイブレータが動作を停止したとき、着信表示部１９に消灯指示をする。すなわち、ＰＩＣは、Ｄｏｕｔのパルス信号を所定のゲート時間でカウントしているが、カウントした値が所定範囲であった後に、カウントが無い状態を検出すると、着信バイブレータが停止したと判断し着信表示部１９に消灯指示をする（ステップＳ１８）。また、その際、ＲＹＯＵＴ信号を無効にする。
この第２の発明の着信表示装置１０ｘによれば、着信バイブレータが動作すると、着信表示部１９が自動的に点灯し、着信バイブレータが停止すると、着信表示部１９は自動的に消灯する。
【００３４】
３．第３の発明の実施形態
次に、第３の発明の実施形態について、図８及び図９を参照して説明する。図８（ａ）は、第３の発明の実施形態の着信表示装置１０ｙの構成を示すブロック、図８（ｂ）は製品形状の一例を示す斜視図である。図９は、第３の発明の着信表示装置１０ｙの制御手段１７ｙの動作を示すフローチャートである。
【００３５】
第３の発明は、着信表示部１９に対する第１の発明での制御モードである第１の制御モード（図５に示したフロー）と、着信表示部１９に対する第２の発明での制御モードである第２の制御モード（図７に示したフロー）とを、任意に選択して動作させる発明である。
そのため、第３の発明の着信表示装置１０ｙは、図８に示したように、第１の制御モードと第２の制御モードを切り替えるための切替手段２５を、設けてある。切替手段２５としては、例えば、制御手段１７ｙを構成するマイクロチップ（ＰＩＣ）に対し、切替信号を入力するためのスイッチで良い。そして、図８（ｂ）に示したように、着信表示装置１０ｙの例えば１つの側面の、人が操作し易い箇所に、この切替手段２５を設けるのが良い。
【００３６】
第３の発明の着信表示装置１０ｙが動作を開始すると（図９のステップＳ２１）、制御手段１７ｙは、切替手段の信号ＳＷを取り込む（ステップＳ２２）。次に、制御手段１７ｙは、信号ＳＷが、第１の発明のモード指示か、第２の発明のモード指示かを判断する（ステップＳ２３）。そして、この判断に応じて、第１の発明の制御モード、すなわち載置状態検出手段をも用いた制御を行うか（ステップＳ２４）又は、第２の発明の制御モード、すなわち振動検出手段のみを用いた制御を行う（ステップＳ２５）。これら制御は上記で説明しているので、ここでは省略する。
この第３の発明によれは、第１の発明の制御モードによる着信表示部の点灯／消灯と、第２の発明の制御モードによる着信表示部の点灯・消灯を、任意に選択できる。
【００３７】
４．第４の発明の実施形態
次に、第４の発明の実施形態について、図１０及び図１１を参照して説明する。図１０（ａ）は、第３の発明の実施形態の着信表示装置１０ｚの構成を示すブロック、図１０（ｂ）は製品形状の一例を示す斜視図である。図１１は、第４の発明の着信表示装置１０ｚの制御手段１７ｚの動作を示すフローチャートである。
【００３８】
第４の発明は、着信回数を認識する着信回数認識部２７を設けた点が特徴である。着信回数認識部２７は、第１〜第３のいずれの発明にも適用できるが、特に、振動検出手段のみで着信表示部を点灯／消灯する第２の発明に適用するのが便利である。第２の発明では、着信バイブレータが停止すると着信表示部１９の表示も消灯してしまうので、人が着信に気が付かない場合がある。そこで、この実施形態では、着信回数認識部２７を第２の発明に適用した例を説明する。
【００３９】
制御手段１７ｚは、図１１に示すように、第２の発明の実施形態で説明しステップＳ１〜Ｓ１８の制御をする。ただし、ステップＳ１４で着信表示部に点灯指示をした際に、着信回数認識部２７の情報を更新する（ステップＳ４１）。以降、制御手段１７ｚは、着信表示部に点灯指示をする都度、着信回数認識部２７の情報を更新する。
着信回数認識部２７のとしては、例えば、着信回数を数字で更新すること、又は、発光ダイオードを複数有し、かつ、着信回数が増えるごとに１つずつ発光ダイオードを点灯すること、又は、着信回数に応じて、所定の発光色で表示すること、又は、着信回数が増えるに従い例えば発光ダイオードの点滅スピードが速くなる表示をする等である。
この第４の発明によれば、着信の都度着信認識部に着信回数が更新されて保存されるので、人が着信に気づかなかった場合にも、着信回数認識部に目を移した際に気づくので便利である。
従って、着信回数認識部２７は、着信表示装置１０ｚのステージ部１１例えば角部辺りの、人の目に目立つ箇所に設けるのが良い。なお、この実施形態における着信回数認識部の情報は、ステップＳ１８でクリアされる（カウントが０回に戻される）が、着信表示装置１０ｚの仕様に応じて、別途クリアボタンを設け、任意のときにクリアできる仕様としても良い。
【００４０】
５．載置状態検出手段の他の実施形態
上記においては、載置状態検出手段１５に備わるセンサとして静電容量センサを用いた例を説明したが、載置状態検出手段１５で用いるセンサは他のものでも良い。図１２はそのいくつかの例を説明する図である。ただし、図１２は、着信表示装置のステージ部１１周辺と、当該センサとに着目した概略図である。
【００４１】
載置状態検出手段１５の具体例としては、静電容量センサ、マイクロスイッチ、フォトカプラー、質量センサ、又は、近接センサなどの任意のセンサと、このセンサの信号を検出する電気回路とを含む手段を挙げることができる。
【００４２】
静電容量センサは、ステージ部１１に携帯端末３０が置かれたときと、そうでないときの静電容量の変化を検知するものであり、比較的安価であること、携帯端末３０と非接触で所望の検出動作ができるため損傷しづらいこと、着信表示装置自体に内蔵できるため着信表示装置の外観への影響が少ないこと等の利点がある。
【００４３】
マイクロスイッチは、そのアクチュエータ１５ｍｘに携帯端末３０が接する否かで携帯端末３０の載置状態を検知できるため、載置状態の判定が簡単という利点がある。また、比較的安価であるという利点もある。
【００４４】
フォトカプラーは、フォトダイオード１５ｐａとフォトトランジスタ１５ｐｂとで構成されるもので、フォトダイオード１５ｐａとフォトトランジスタ１５ｐｂとの間の光路を携帯端末３０が遮るか否かで載置状態を判定するため、載置状態の判定が簡単という利点がある。
【００４５】
質量センサや近接センサも、それぞれの特徴を利用できるので、載置状態検出手段１５の設計の自由度が高まるので好適である。
なお、この出願の各発明において、携帯端末３０とは、スマートフォン３０ａ、タブレット端末、バイブレータを有するいわゆるガラケー携帯電話等である。また、この出願の各発明において、着信とは、通話を目的とする着信、メール着信、ＳＮＳ（Ｓｏｃｉａｌ  Ｎｅｔｗｏｒｋｉｎｇ  Ｓｅｒｖｉｓｅ）着信等の、種々の着信である。
【００４６】
図１２（ａ）に示した例は、載置状態検出手段１５で用いるセンサを、マイクロスイッチ１５ｍａ又はマイクロスイッチ１５ｍｂとする例である。マイクロスイッチ１５ｍａは、突起状のアクチュエータ１５ｍｘを有したものである。また、マイクロスイッチ１５ｍｂは、突起状のアクチュエータの上方にベロ状の補助部材１５ｍｙを有したものである。これらマイクロスイッチのいずれかを、ステージ部１１の、アクチュエータ部分が携帯端末３０に押される位置に、固定する。マイクロスイッチの場合、携帯端末３０が置かれたか否かをアクチュエータの動きによって容易に検出できるので、便宜である。
【００４７】
図１２（ｂ）に示した例は、載置状態検出手段１５で用いるセンサを、フォトダイオード１５ｐａとフォトトランジスタ１５ｐｂとからなるフォトカプラーとする例である。フォトダイオード１５ｐａからの光路上にフォトトランジスタ１５ｐｂを配置し、その間に携帯端末３０が置かれる構成である。
【００４８】
また、図１２（ｃ）の例は、載置状態検出手段１５で用いるセンサを、図１２（ｂ）同様にフォトカプラーとする例であるが、ステージ部１１の一端側に段差を設けて、この段差を利用して、フォトダイオード１５ｐａとフォトトランジスタ１５ｐｂとを短距離で配置した例である。図１２（ｃ）の例では、携帯端末３０の幅の制約を受けることが無いという利点がある。
【産業上の利用可能性】
【００４９】
以上の説明から明らかなように、本発明の着信表示装置によれば、携帯端末の着信バイブレータの振動を視覚に変えて人に伝達できる着信表示装置であって、着信表示の停止を自動的に行える着信表示装置を提供できる。
従って、例えば、ホテルのフロントでホテルマンが接客中のような場合で、自身の又は業務用の携帯端末の操作を、客との関係で控えた方が良い場合でも、自身の近くにこの着信表示装置を置いてそこに携帯端末を置いておけば、通話、メール、ＳＮＳ等に由来の着信を、視覚で確認できることが期待できる。
また、聴覚に障害がある人や聞こえにくい高齢者などが利用することで、光により通知を気づかせることが期待できる。さらに、浴室に持ち込めない携帯端末において、外部出力機能を用いて、浴室内に別途設けた通知ランプなどに出力することで、携帯端末に対して離れた場所であっても、通知を確認できることが期待できる。
さらに、騒音が大きい工場などで携帯電話を付帯していないような場合で、着信音が聞こえなくても着信したことを確認できることが期待できる。
しかも、第１の発明の場合であれば、携帯端末を取り上げるまで着信表示を継続でき、かつ、携帯端末を取り上げるのみで着信表示を終了させることができる。第２の発明の場合であれば、着信終了により着信表示を終了させることができる。第３の発明の場合であれば、第１の発明と第２の発明のいずれかを任意に選択できる。第４の発明の場合であれば、着信回数を認識できる。
このように、この出願の各発明によれば、携帯端末の操作を控えた方が良いような種々の局面において、着信を視覚で認識でき、しかも、この視覚的な表示状態を自動的に、しかも第１の発明のように形態端末を取り上げるだけで、停止できるという利便性が得ることが期待できる。
【符号の説明】
【００５０】
１０：第１の発明の実施形態の着信表示装置
１０ｘ：第２の発明の実施形態の着信表示装置
１０ｙ：第３の発明の実施形態の着信表示装置
１０ｚ：第４の発明の実施形態の着信表示装置
１１：ステージ部
１３：振動検出手段
１３ａ：振動検出手段に備わるセンサ（圧電センサ）
１３ｂ：振動検出手段に備わる電気回路
１５：載置状態検出手段
１５ａ：載置状態検出手段に備わるセンサ（例えば静電容量センサ）
１５ｂ：載置状態検出手段に備わる電気回路
１７：第１発明の制御手段
１７ｘ：第２発明の制御手段
１７ｙ：第３発明の制御手段
１７ｚ：第４発明の制御手段
１９：着信表示部
２１：補助的な外部出力部
２５：切替手段
２７：着信回数認識部
３０：バイブレータを有する携帯端末
【図１】
2020161868.tif 000003
【図２】
2020161868.tif 000004
【図３】
2020161868.tif 000005
【図４】
2020161868.tif 000006
【図５】
2020161868.tif 000007
【図６】
2020161868.tif 000008
【図７】
2020161868.tif 000009
【図８】
2020161868.tif 000010
【図９】
2020161868.tif 000011
【図１０】
2020161868.tif 000012
【図１１】
2020161868.tif 000013
【図１２】
2020161868.tif 000014
【図１３】
2020161868.tif 000015